(57)【要約】  【課題】  カバン類に補充的に配置して小物を収納し、さらに携帯端末の収容に適合化させる。  【解決手段】  第１パネル２００の本体２０１および耳部２０２と、第２パネルの本体３０１および耳部３０２とを用いて小物収容具１００を構成する。第１パネル２００の耳部２０２の面ファスナ２０２ａまたは２０２ｂと第２パネル３００の耳部３０２の面ファスナ３０２ａとを幅方向の位置を調整可能に係合させて携帯端末等の厚さに適合化せせる。【選択図】  図６
2006311926.tif 000002
【特許請求の範囲】
【請求項１】
本体に対して一側を屈曲させ、この一側に接合体が設けられた第１の薄板部材と、
本体に対して一側を屈曲させ、この一側に接合体が設けられた第２の薄板部材と、
上記第１の薄板部材および上記第２の薄板部材の少なくとも一方の本体の少なくとも一方の面に設けられた小物収容部とを有し、
上記第１の薄板部材の接合体および上記第２の薄板部材の接合体は、上記第１の薄板部材と上記第２の薄板部材とをその対向間隔を調整可能に対向させて取り付けるように接合するための接合構造を有することを特徴とする小物収容具。
【請求項２】
上記接合構造は面ファスナである請求項１記載の小物収容具。
【請求項３】
上記第１の薄板部材および上記第２の薄板部材の少なくとも一方の本体および一側の間の屈曲部は柔軟であり、折り返し方向を自由に変更でき、かつ、上記一側の両面に接合体が設けられる請求項１または２記載の小物収容具。
【請求項４】
上記第１の薄板部材の接合体および上記第２の薄板部材の接合体と接合する接合体を具備する第３の板部材を有する請求項１、２または３記載の小物収容具。
【請求項５】
対向させて配置される上記第１の薄板部材および上記第２の薄板部材のそれぞれの一側がわに配置されるクッション部材をさらに有する請求項１、２、３または４記載の小物収容具。
【請求項６】
本体に対して一側を屈曲させ、この一側に接合体が設けられた第１の薄板部材と、
本体に対して一側を屈曲させ、この一側に接合体が設けられた第２の薄板部材とを有し、
上記第１の薄板部材の接合体および上記第２の薄板部材の接合体は、上記第１の薄板部材と上記第２の薄板部材とをその対向間隔を調整可能に対向させて取り付けるように接合するための接合構造を有することを特徴とするカバン用中仕切。
【発明の詳細な説明】
【技術分野】
【０００１】
この発明は、筆記具・携帯電話・印鑑・手帳・カードなどの小物の収納に適したカバン用中仕切、その他、カバン（かばん類や袋物を含む）への収容に適した小物収容具に関し、とくに、ノートブックＰＣ等の収容物の大きさに適合できるようにしたものである。
【背景技術】
【０００２】
本発明者は、小物収容部を設けた中仕切（小物収容具）を提案している（特許文献１）。ビジネスマンが業務上用いる一般的なカバンには、書類用中仕切、３本分程度のペン差し、１個分の携帯用ポケット程度しか設けられていないので、かかる小物収容部付きの中仕切を補助的に用いることにより、多くの小物を整理して収容可能になり、大変便利である。
【０００３】
ところで、無線通信、移動体通信、ネットワーク技術の進展に伴い、携帯型のＰＣ等、情報機器を持ち歩くことが多くなってきている。一般のカバンは携帯型の情報機器を念頭に置いて設計されていないので、携帯型の情報機器をカバンに収容する場合には、情報機器の大きさとカバンの収容サイズとがなかなかフィットせず、収容性が損なわれるという問題がある。
【０００４】
【特許文献１】特開２００４−３１３２７３公報
【発明の開示】
【発明が解決しようとする課題】
【０００５】
この発明は、以上の事情を考慮してなされたものであり、小物を収容するとともに携帯型の情報機器等を適合的に収容可能な小物収容具を提供することを目的としている。
【課題を解決するための手段】
【０００６】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００７】
すなわち、この発明によれば、上述の目的を達成するために、小物収容具に：本体に対して一側を屈曲させ、この一側に接合体が設けられた第１の薄板部材と；本体に対して一側を屈曲させ、この一側に接合体が設けられた第２の薄板部材と；上記第１の薄板部材および上記第２の薄板部材の少なくとも一方の本体の少なくとも一方の面に設けられた小物収容部とを設け；上記第１の薄板部材の接合体および上記第２の薄板部材の接合体が、上記第１の薄板部材と上記第２の薄板部材とをその対向間隔を調整可能に対向させて取り付けるように接合される接合構造を有するようにしている。
【０００８】
小物収容具は、筆記具・携帯電話・印鑑・手帳・カードなどの小物を収納する小物収納部を具備する中仕切、板部材等である。主にカバンに収納して用いられるが、単に、机上に立てかけて小物を収納するのに用いたり、種々の用途に用いることもできる。小物収納部は基本的には小物収容具に固定して取り付けられているが、場合によっては、面ファスナ等を用いて着脱可能にしてもよい。
【０００９】
第１の薄板部材および第２の薄板部材は、典型的には、矩形形状であり、カバン等への収容に適した大きさとなっている。もちろん、矩形に限らず種々の形状に構成できる。これら薄板部材は、典型的には芯部材とカバーとからなるが、芯部材のみから構成しても良い。芯部材は例えばポリプロピレンのような樹脂製であるが、これに限定されない。カバーは、例えば、布製、革製であるが、これに限定されない。
【００１０】
典型的には、薄板部材の本体が、小物収容具の両側壁を構成し、薄板部材の一側が底部を構成する。一側同士の接合位置により底部の幅（薄板部材の対向間隔）が決定される。
【００１１】
一側に形成される接合部は接合位置関係を調整可能な接合構造を具備する。接合構造は典型的には面ファスナであるが、これに限定されず、フック、磁石、スライド等、接合位置関係が調整可能な任意の接合構造を採用できる。
【００１２】
薄板部材の本体と一側との間は、屈曲可能になっており、その境界をなす屈曲部は好ましくは柔軟であり、表裏の双方に折り返し可能となっている。この場合、折り返しの正逆により、小物収容具の内面と外面とが交換される。
【００１３】
この構成においては、両薄板部材のそれぞれの一側の接合体の接合位置を調整して、例えば、携帯型情報機器の厚さに適合したスペースを形成でき、当該携帯型情報機器にフィットさせることができる。
【００１４】
この構成において、上記接合体は典型的には面ファスナである。接合関係にある接合体の面ファスナは接合可能な関係すなわち雄雌の関係にある。
【００１５】
また、第１の薄板部材または第２の薄板部材の一側には、一方の面のみでなく両面に接合体を設けても良い。このようにすると、第１の薄板部材および第２の薄板部材接合関係を多様化できる。例えば、第１の薄板部材の一側の両面に接合体を設けたとする。接合に用いる接合体を変えることにより、小物収容具の内側面をなしていた第１の薄板部材の面を、小物収容具の外側面をなすようにできる。この場合、第１の薄板部材の本体および一側の間の屈曲部は柔軟であり、折り返し方向を自由に変更できなくてはならない。
【００１６】
第１の薄板部材の一側に構成された接合部と第２の薄板部材の一側に構成された接合部とは典型的には直接に接合される。この場合、例えば、第１の薄板部材の接合部が下方を臨み、第２の薄板部材の接合部が上方を臨み、もって接合を行なう。また第１の薄板部材の一側に構成された接合部と第２の薄板部材の一側に構成された接合部とは、第３の薄板部材の接合部を介して接合されても良い。
【００１７】
また、対向させて配置される上記第１の薄板部材および上記第２の薄板部材のそれぞれの一側がわに配置されるクッション部材をさらに設けても良い。
【００１８】
また、この発明の他の側面によれば、カバン中仕切に、本体に対して一側を屈曲させ、この一側に接合体が設けられた第１の薄板部材と、本体に対して一側を屈曲させ、この一側に接合体が設けられた第２の薄板部材とを設け、上記第１の薄板部材の接合体および上記第２の薄板部材の接合体が、上記第１の薄板部材と上記第２の薄板部材とをその対向間隔を調整可能に対向させて取り付けるように接合される接合構造を有するようにしている。
【００１９】
この構成においても、携帯情報機器等の大きさにフィットさせることが可能となる。
【００２０】
この発明の上述の側面およびこの発明の他の側面は特許請求の範囲に記載され、以下、実施例を用いて詳細に説明される。
【発明の効果】
【００２１】
この発明によれば、小物収容具や中仕切を携帯情報機器等の大きさにフィットさせることが可能となる。
【発明を実施するための最良の形態】
【００２２】
以下、この発明の実施例について説明する。
【００２３】
図１は、実施例の小物収容具１００（図６参照）を構成する第１パネル２００および第２パネル３００を示しており、以下では図１に示される面を便宜上裏面と呼ぶことにする。図２は、第１パネル２００および第２パネル３００の表面を示している。
【００２４】
図１および図２において、第１パネル２００および第２パネル３００はポリプロピレン等からなる基材に布、皮革、樹脂等から成るカバーを被着したものである。もちろん、基材のみから構成しても良いし、材料も種々のものを採用できる。基材の厚さは例えば約１．０〜１．５ｍｍである。
【００２５】
第１パネル２００および第２パネル３００はそれぞれ本体２０１、３０１と耳部（一側ともいう）２０２、３０２、止め紐２０３、２０４、３０３、３０４等を含んで構成される。また第１パネル２００にはＰＣ補足用の止め紐２０５、２０６が本体２０１の端部２０１ａ、２０１ｂに取り付けられている。その自由端２０５ａ、２０６ａには面ファスナ（フック片。雄）２０５ｂおよび面ファスナ（ループ片。雌）２０６ｂが設けられている。なお、面ファスナ２０５ｂは破線で示されているが、この破線は面ファスナが裏側に設けられていて隠れていることを意味する。他の破線も同様の場合がある。
【００２６】
第１パネル２００の本体２０１および第２パネル３００の本体３０１は例えば縦×横が２５０ｍｍ×３５０ｍｍの矩形となっているが、これに限定されない。サイズがこれよりも大きくても良いし、小さくても良い。また、全体の形状も矩形に限らず、また基本的には矩形であってもその一部や角をきり欠いたものでもよく、また大小の孔部が設けられていてもよい。
【００２７】
第１パネル２００の耳部２０２は例えば４５ｍｍ×３５０ｍｍの矩形であり、実質的には本体２０１と一体に形成され、本体２０１と耳部２０２との間の境界線位置で屈曲加工（溝加工、破線上の穿孔加工等）が施されている。本体２０１と耳部２０２とを別体に構成して柔軟性のある布、樹脂等のテープ部材で連結しても良い。耳部２０２は図４にａ、ｂに示すように本体２０１に対して折り曲げることができる。耳部２０２は両面に面ファスナ（ループ片。雌）２０２ａ、２０２ｂが形成されている。
【００２８】
第２パネル３００の耳部３０２は例えば６０ｍｍ×３５０ｍｍの矩形であり、実質的には本体３０１と一体に形成され、本体３０１と耳部３０２との間の境界線位置で屈曲加工（溝加工、破線上の穿孔加工等）が施されている。本体３０１と耳部３０２とを別体に構成して柔軟性のある布、樹脂等のテープ部材で連結しても良い。耳部３０２は図４にｃ、ｄに示すように本体３０１に対して折り曲げることができる。耳部３０２は裏面に面ファスナ（フック片。雄）３０２ａが形成されている。
【００２９】
第１パネル２００の止め紐２０３、２０４は第２パネル３００の止め紐３０３、３０４と係合するためのものであり、それぞれの両面に面ファスナ（ループ片。雌）２０３ａ、２０３ｂ、２０４ａ、２０４ｂが設けられている。第２パネル３００の止め紐３０３、３０４の裏面には対応する面ファスナ３０３ａ、３０４ａが設けられている。
【００３０】
第１パネル２００および第２パネル３００の表面（図２）には小物収容部４００が破線で示すように取り付けられている。小物収容部４００は、例えば、ペン差し、クリップ部のないボールペン等に用いるペン受け、カードホルダー、オープンポケット、フラップポケット、メッシュポケット、ゴムバンド等であるが、これに限定されない。
【００３１】
また、この実施例の小物収容具１００は図３に示すようなクッション５００を有している。クッション５００のサイズは８０ｍｍ×３５０ｍｍであり、厚さは１５ｍｍである。クッション５００は、例えば、樹脂製のスポンジ基体５０１に布５０２を被着して形成されており、ユーザが任意の形状寸法に裁断できる。もちろん、場合に応じて、クッション５００を用いなくても良い。
【００３２】
図４は、第１パネル２００および第２パネル３００の種々の屈曲形態を示しており、本体２０１、３０１に対して耳部２０２、３０２を矢印ａ、ｂ、ｃ、ｄに示すように折り曲げることにより後に説明するように種々の組立態様を実現できる。
【００３３】
図５は、第１の組立態様を説明している。以下では第１から第４までの態様を説明するがどのような組立態様を採用しても良く、説明の順序が、それらの優位性を特徴付けるものではない。
【００３４】
図５においては、第１パネル２００の耳部２０２を矢印ｂ（図４）に示すように折り曲げ、第２パネル３００の耳部３０２を矢印ｃに示すように折り曲げたものである。このような状態で図６に示すように、第２パネル３００の耳部３０２が第１パネル２００の耳部２０２の上に重なるように配置し、耳部２０２の面ファスナ２０２ａと耳部３０２の面ファスナ３０２ａとの係合により第１パネル２００と第２パネル３００とを結合する。この場合、面ファスナ２０２ａと面ファスナ３０２ａとの係合位置をずらすことにより第１パネル２００の本体２０１と第２パネル３００の本体３０１との間の対向距離Ｄを加減できる。例えば、（ａ）ではやや厚みのある携帯端末（ノートブックＰＣ）６００ａを丁度収容できるように対向距離Ｄを加減し、（ｂ）ではやや薄手の携帯端末６００ｂを丁度収容できるように対向距離Ｄを短くして適合化させることができる。
【００３５】
なお第１パネル２００の止め紐２０３、２０４の面ファスナ２０３ｂ、２０４ｂを第２パネル３００の止め紐３０３、３０４の面ファスナ３０３ａ、３０４ａに係合させて、小物収容具１００を閉じた状態に保持できる。また、ＰＣ補足用止め紐２０５および２０６の面ファスナ２０５ｂ、２０６ｂを用いて収容状態の携帯端末を保持することができる。この例では、止め紐２０５、２０６は、取り付け位置（端部２０１ａ、２０１ｂ）の高さ方向の段差により、斜めに掛けられるが、これに限定されない。また、小物収容具１００がカバン７００（図６）等の中に配置される場合には、カバン自体で携帯端末が保持されるので止め紐２０５、２０６を用いなくても良い。また、ＰＣ補足用止め紐２０５、２０６は第１パネル２００の裏面のみでなく表面で係合してもよい。
【００３６】
なお、図５および図６の例では、第１パネル２００の表面（小物収容面）が外を向き、第２パネル３００の裏面（非小物収容面）が外を向いている。小物収容面が内側側壁を構成しているときには携帯端末と側壁との間に若干の余裕があることが好ましい。
【００３７】
図７の例は、第１パネル２００の耳部２０２を図４の矢印ａ方向に曲げ、第２パネル３００の耳部３０２を図４の矢印ｃ方向に曲げたものである。この場合は、第１パネル２００および第２パネル３００の表面（小物収納面）を小物収容具１００の内面に配置したものである。
【００３８】
図８の例は、第１パネル２００の耳部２０２を図４の矢印ｂ方向に曲げ、第２パネル３００の耳部３０２を図４の矢印ｄ方向に曲げたものである。この場合は、第１パネル２００および第２パネル３００の表面（小物収納面）を小物収容具１００の外面に配置したものである。
【００３９】
さらに、図９の例は、第１パネル２００の耳部２０２を図４の矢印ａ方向に曲げ、第２パネル３００の耳部３０２を図４の矢印ｄ方向に曲げたものである。この場合は、第１パネル２００の裏面（非小物収容面）および第２パネル３００の表面（小物収納面）が小物収容具１００の外面に配置される。
【００４０】
このように、第１パネル２００の耳部２０２および第２パネル３００の耳部３０２の折り曲げ方向に応じて種々の収容形態を採用できる。この収容形態は、固定的なものではなく、面ファスナの着脱により容易に変更できる。
【００４１】
図１０は第１パネル２００の本体２０１の表面または第２パネル３００の本体３０１の表面に取り付けられる小物収容部４００の例を示している。もちろん、種々の収容部を用い種々の配置を採用できる。図１０の例では、小物収容部４００として、８本のペン差し（直径１１ｍｍ、１２ｍｍ、１３ｍｍ、１６ｍｍ。Ａで示す）、クリップ分のないボールペン等に用いるペン受け（Ｂで示す）、カードホルダー（Ｃで示す）、オープンポケット（Ｄで示す）、フラップポケット（Ｅで示す）、メッシュポケット（ゴムとメッシュからなるポケット。Ｆで示す）を採用している。
具備している。
【００４２】
なお、この発明は上述の実施例に限定されるものではなくその趣旨を逸脱しない範囲で種々変更が可能である。例えば、上述の例では、面ファスナを用いて第１パネル２００および第２パネル３００を位置調整可能に結合したが、スライド（溝軟体とスライド半体から成るもの）、フック対（少なくとも一方の耳部の多数の幅方向の位置にフック半体があるもの）、磁石で係合するもの等を採用できる。面ファスナの態様（ループ片、フック片）等も、接合が可能であればどのような態様でも良い。耳部の両面に面ファスナを設けずに一方でも良い。
【００４３】
また、図１１に示すように、両耳部を係合する中継パネル８００を用いても良い。２００ａ、３００ａ、８００ａは面ファスナである。面ファスナ８００ａを用いて中継パネル８００を省略してもよい。
【００４４】
小物収容部はパネルの一方の面のみに設けたが、すべての面に設けても良いし、一方のパネルの一方または双方の面のみに設けてもよい。
【００４５】
また、小物収容部を省略しても良い（この場合中仕切と呼ぶ方が適切であろう）。また、上述の例ではカバン７００に収容されるものとして小物収容具を説明したが、小物収容具自体をカバンとして用いても良い。この場合、肩掛け用の紐やハンドルを設けることが好ましい。また、上述実施例の小物収容具はノートブックＰＣ等の携帯端末の収納に最適なものであるが、他の物品の収納に用いても良いことはもちろんである。
【図面の簡単な説明】
【００４６】
【図１】この発明の実施例の小物収容具の各パネルの裏面（非収容面）を示す図である。
【図２】上述の各パネルの表面（収容面）を示す図である。
【図３】上述実施例のクッションを説明する図である。
【図４】上述実施例の各パネルの耳部の折り曲げ態様を説明する図である。
【図５】上述実施例の各パネルの組立態様の例を説明する図である。
【図６】図５の例で組み立てた小物収容具を説明する図である。
【図７】上述実施例の各パネルの他の組立態様の例を説明する図である。
【図８】上述実施例の各パネルのさらに他の組立態様の例を説明する図である。
【図９】上述実施例の各パネルのさらに他の組立態様の例を説明する図である。
【図１０】上述の実施例の各パネルの小物収容部の例を説明する図である。
【図１１】上述実施例の変形例を説明する図である。
【符号の説明】
【００４７】
１００    小物収容具
２００    第１パネル
２００ａ        面ファスナ
２０１  本体
２０１ａ、２０１ｂ     端部
２０２  耳部
２０２ａ、２０２ｂ     面ファスナ
２０３、２０４  止め紐
２０３ａ、２０３ｂ、２０３ａ、２０４ｂ     面ファスナ
２０５、２０６    止め紐
２０５ａ、２０６ａ     自由端
２０５ｂ、２０６ｂ     面ファスナ
３００    第２パネル
３００ａ        面ファスナ
３０１    本体
３０２    耳部
３０２ａ        面ファスナ
３０３、３０４    止め紐
３０３ａ、３０４ａ     面ファスナ
４００    小物収容部
５００    クッション
５０１    スポンジ基体
５０２    布
６００ａ、６００ｂ     携帯端末
７００    カバン
８００    中継パネル
８００ａ        面ファスナ
【図１】
2006311926.tif 000003
【図２】
2006311926.tif 000004
【図３】
2006311926.tif 000005
【図４】
2006311926.tif 000006
【図５】
2006311926.tif 000007
【図６】
2006311926.tif 000008
【図７】
2006311926.tif 000009
【図８】
2006311926.tif 000010
【図９】
2006311926.tif 000011
【図１０】
2006311926.tif 000012
【図１１】
2006311926.tif 000013